(57)【要約】      （修正有）【課題】環境の力の弱い人々を守る。【解決手段】『Ｓ』関連の多くの組織が加盟する環境の力の弱いシステムの救済給付金関係、無関係含む、割増金、割戻金連動商品券金券等他での救済企画給付等他供給センターを構成し、各『Ｓ』関連組織の紹介によって『Ｓ』関連商品を購入した場合には，当該『Ｓ』関連組織に対して『Ｓ』関連不動産商品、旅行商品費用に応じた割増金、割戻金連動金融金、証券、金券、株式連動すべての割増金、割戻金連動商品券、金券等他救済企画給付金を支払う割増金、割戻金連動金融金、証券、金券、株式連動すべての割増金、割戻金連動商品券、金券等、他救済企画給付金制を導入した。（販売を含む）【選択図】図１
2016028353.tif 000002
【特許請求の範囲】
【請求項１】
明細書全文と図１のシステムネットワーク及び発明の名称にかかる商品券と金券のパッケージ商品プログラム販売コラボシステム
前記『Ｓ』連動システムの中にすべての自然人（自然人所有ＰＣ含む）が参加できる統計データシステム連動国会ＰＣ公表システム前記特許請求の範囲にかかるすべての工業所有権経費の無料化。
前記に連動する下記の管理、ネットワークのマネーコントロール、指令すべてその国の政府がオートメーション取得するシステム。（原著作権者と原特許権者原発明者の権利の著作権利と特許権利存続期間の間。）
2016028353.tif 000003
及び▲原▼発明者と▲原▼特許出願人の自然人には、ネットワークマネーコントロールと指令の権利はない。（国民の１人として、統計データ参入システムに参加する権利は存続する。）
上記ネットワークにかかる会議の書類送信等、協議、等、（合意書を含む、）ＩＴ送信（Ｆａｘを含む、）の権利実施権システム。
【発明の詳細な説明】
【技術分野】
【０００１】本発明は『Ｓ』に連動する不動産と動産と旅行などの商品の種々の変動条件と補正ルール（回転率など）から出てくる今まで容易に発見（発明）されなかった割増金、割戻金等電子マネー・現金等による自然人と法人とボランティア組織への割増金割戻金循環プログラム旅行と観光と不動産と金融と証券と株式商品の販売システムに関し、特に環境の力の弱いシステムの救済給付金関係、無関係すべての割増金  割戻金連動商品券（名称のいかんをとわない）金券等他救済企画給付金制を導入した『Ｓ』のネットワークに関する。
【背景技術】
【０００２】マネーの少い自然人や法人やボランティア組織（法人、団体を含む）は、真実をかたっても司法の場にて経済的理由や他要因から、悪意をもつ組織に対抗できないことも多い。【０００３】公安等他関連機関も不動産等を媒介とした契約や企業間取引に関係する悪意組織の特殊さぎの全容を解明するのにかなりの時間を要する。
【発明が解決しようとする課題】
【０００４】本発明は上記（前記）の点にかんがみてなされたものでＷＡＮで接続された『Ｓ』のコラボ商品の安全な商品流通システムを構築することを目的とする。
【課題を解決する為の手段】
【０００５】前記課題を解決するため、本発明においては、『Ｓ』関連の多くの組織が加盟する環境の力の弱いシステムの救済給付金関係、無関係含む、割増金  割戻金連動商品券金券等他での救済企画給付等他供給センターを構成し、各『Ｓ』関連組織の紹介によって『Ｓ』関連商品を購入した場合には，当該『Ｓ』関連組織に対して『Ｓ』関連不動産商品  旅行商品費用に応じた割増金、割戻金連動金融金、証券、金券、株式連動すべての割増金、割戻金連動商品券、金券等他救済企画給付金を支払う割増金、割戻金連動金融金、証券、金券、株式連動すべての割増金、割戻金連動商品券、金券等、他救済企画給付金制を導入した。（販売を含む）
『Ｓ』関連不動産商品と旅行商品のコラボ商品の種々の変動条件と補正ルール（『Ｓ』関連不動産商品、旅行商品の回転率など）から出てくる今まで容易に発見（発明）されなかった『Ｓ』連動割増金、割戻金  商品券、金券等による加盟『Ｓ』連動多くの組織が加盟する環境の力の弱いシステムの救付金関係、無関係含む、割増金、割戻金連動商品券金券等他での救済企画給付等他供給センターを構成した。
【０００６】各『Ｓ』関連組織は、自社の社債が『Ｓ』関連不動産商品、旅行商品を購入したとき、それに応じた割増金、割戻金連動金融金、証券、金券、株式連動すべての割増金  割戻金連動商品券、金券等他  救済企画給付金を得るので、『Ｓ』連動不動産商品、旅行商品等他の販売が促進される。そして、それが更に各『Ｓ』関連組織の割増金、割戻金連動金融金、証券、金券、株式連動割増金  割戻金連動商品券、金券等他、救済企画給付金等収入を増大させ、『Ｓ』関連組織は協力的になり、『Ｓ』関連不動産商品、旅行商品の販売が促進されるという好循環が形成される。
【０００７】前記『Ｓ』関連割増金  割戻金連動金融金  証券、金券  株式連動すべての割増金、割戻金連動商品券、金券等他救済企画給付金は、例えば、特に環境の力の弱いシステムに集中して行うこともできる。
【発明を実施するための形態】
【０００８】図１は  本発明の実施の形態の一例を示すブロック図であり、加盟『Ｓ』関連組織（システム）１１ａ〜２０ｊは、それぞれ端末装置を備え，通信回線５を介して  ＲＤＢＭＳコントロール法人ＷＡＮ国有化コントロールセンター６に接続されている。
他にコントロールセンター６には  管理センター７も接続されている。
【０００９】『Ｓ』連動旅行商品と不動産商品に連動する、割増金  割戻金連動金融金、証券金券、株式連動すべての割増金、割戻金連動商品券、金券等他救済企画給付金センター８は、コントロールセンター６に接続されている。（部分選択接続でもよい。）
【００１０】前記コントロールセンターは、前記にかかるマネーの流通情報をコントロールセンター内のＰＣより情報を直接入手することができる。
【００１１】『Ｓ』連動割増金、割戻金連動金融金、証券、金券、株式連動すべての割増金、割戻金連動商品券、金券等他救済企画給付金決定テーブルは、特願２０１２−２３５１４４の公的社会経済的調整改革資金決定テーブルのデータを基準として演算処理する。
【００１２】本発明にかかる『Ｓ』連動旅行商品と不動産商品に連動する割増金、割戻金連動金融金、証券、金券、株式連動すべての割増金、割戻金連動商品券  金券等他救済企画給付金センター内のＬＡＮネットワークで接続されたシステム構成図は、特願２０１２−２３５１４４のシステム構成図に準ずる。
【００１３】『Ｓ』連動割増金、割戻金連動金融金、証券、金券、株式連動すべての割増金、割戻金連動商品券、金券等他救済企画給付金決定テーブルで求められた『Ｓ』連動割増金、割戻金連動金融金、証券、金券、株式連動すべての割増金、割戻金連動商品券、金券等他救済企画給付金は、『Ｓ』連動組織ごとに『Ｓ』連動割増金、割戻金連動金融金、証券、金券、株式連動すべての割増金、割戻金連動商品券、金券等他救済企画給付金の発生履歴、及び、累計が記録され、累計された金額の『Ｓ』連動割増金、割戻金連動金融金、証券、金券、株式連動すべての割増金、割戻金連動商品券、金券等他救済企画給付金が定期的に『Ｓ』関連組織へ給付される。
【００１４】以上のような
『Ｓ』連動割増金、割戻金連動金融金、証券、金券、株式連動すべての割増金、割戻金連動商品券、金券等他救済企画給付金制を導入することにより、旅行商品と不動産商品の需要が増大する。
【００１５】特許権利金から『Ｓ』連動組織に対する、『Ｓ』連動割増金、割戻金連動金融金、証券、金券、株式連動すべての割増金、割戻金連動商品券、金券等他救済企画給付金の支払が行われる。
【００１６】前記給付金、各種券は、経済力の弱い組織に集中的に支給することも可能である。
【発明の効果】
【００１７】本発明によれば、前記システム連動給付制を媒介にして、不動産商品、旅行商品の販売促進とともに社会福祉発展システムを提供することができる。
【図面の簡単な説明】
【図１】加盟『Ｓ』連動割増金、割戻金連動金融金、証券、金券、株式連動すべての割増金、割戻金連動商品券、金券等他救済企画給付金センターのネットワークブロック図。
【発明を実施するための形態】
明細書（『Ｓ』連動）全文に連動する図１。
【産業上の利用可能性】安全に『Ｓ』連動商品券等、金券等の給付制を実施するために、安全にコントロールする必要があり、コントロール（公安等他プロジェクト）監視センターの役目が最重要となり、社会全体の経済を安定させ、発展させるいしずえとなる。
【符号の説明】５．通信回線
６．ＷＡＮファイアウォール等ＲＤＢＭＳコントロール国有化センター（公安、司法等プロジェクト）
７．三メガバンク等プロジェクト管理センター
８．『Ｓ』連動環境の力の弱いシステムの救済給付金関係システム、無関係システム、割増金、割戻金連動商品券、金券等他救済企画給付金等センター
１１ａ、１２ｂ、１３ｃ、１４ｄ、１５ｅ、１６ｆ、１７ｇ、１８ｈ、１９ｉ  ２０ｊ…『Ｓ』連動関連組織
【図１】
2016028353.tif 000004